(57)【要約】【課題】密封状態が破壊されることなく、他の部材を貫通させることができる有機発光装置およびこれを備えた時計を提供する。【解決手段】基板３１の下面にダイオード・マトリックス３２を設け、かつ、その下方に、上面に吸湿部材３４が取り付けられている蓋体３３を設け、この蓋体３３と基板３１との間にダイオード・マトリックス３２及び吸湿部材３４を周りから囲んで密封するようにシール手段３５を挟持している。シール手段３５内のダイオード・マトリックス３２と吸湿部材３４の両者以外の部分に、中間部材３６が蓋体３３と基板３１との間に密接に挟まれていると共に、基板３１、中間部材３６および蓋体３３を上下方向に貫通している通孔３７が形成されている有機発光装置。【選択図】図２
2006059582.tif 000002
【特許請求の範囲】
【請求項１】
基板の下面にダイオード・マトリックスを設け、かつ、その下方に、上面に吸湿部材が取り付けられている蓋体を設け、この蓋体と前記基板との間に前記ダイオード・マトリックス及び前記吸湿部材を周りから囲んで密封するようにシール手段を挟持している有機発光装置において、
前記シール手段内の前記ダイオード・マトリックスと吸湿部材の両者以外の部分に、中間部材が前記蓋体と基板との間に密接して挟まれていると共に、前記基板、前記中間部材および前記蓋体を上下方向に貫通している通孔が形成されていることを特徴とする有機発光装置。
【請求項２】
前記ダイオード・マトリックスは、その略中央箇所に開口が設けられていて、前記吸湿部材は、前記ダイオード・マトリックスの開口以外の部分と対面していると共に、前記中間部材は、前記ダイオード・マトリックスの開口を通過している請求項１に記載の有機発光装置。
【請求項３】
前記中間部材は、前記蓋体の上面から一体的に上方へ延伸する柱体と、この柱体と前記基板との間に挟まれている他のシール手段とからなると共に、前記通孔は、前記基板、前記他のシール手段、前記柱体および前記蓋体を上下方向に貫通している請求項１又は２に記載の有機発光装置。
【請求項４】
前記中間部材は、前記蓋体と基板との間に挟まれている他のシール手段であり、前記通孔は、前記基板、前記他のシール手段および前記蓋体を上下方向に貫通している請求項１又は２に記載の有機発光装置。
【請求項５】
請求項１〜４のいずれか１項に記載の有機発光装置を用いると共に、軸芯が通孔を貫通して突出しており、指針が基板の上方に、この基板面と平行になるように設けられ、且つ、一端近くが前記軸芯の通孔からの突出端に軸支されている指針装置と、この指針装置および前記有機発光装置を収容しているハウジングとを更に備えている時計。
【発明の詳細な説明】
【技術分野】
【０００１】
本発明は、有機発光装置およびこれを用いた時計に関し、特に複数の有機発光ダイオードを基板上にマトリックス配列した有機発光装置およびこれを用いた時計に関する。
【背景技術】
【０００２】
従来の有機発光装置１は、図４に示すように、ガラスや透明樹脂からなる基板１１の下面に、複数の有機発光ダイオード（Ｏｒｇａｎｉｃ Ｌｉｇｈｔ−Ｅｍｉｔｔｉｎｇ Ｄｉｏｄｅ）によりマトリックス配列したダイオード・マトリックス１２が設けられているものである。各有機発光ダイオードは、それぞれ１つの画素として点灯されたり消灯されたりする（例えば、特許文献１）。
【０００３】
また、ダイオード・マトリックス１２を保護すると共に、このダイオード・マトリックス１２が湿気の侵入で壊れてしまうことを避けるために、基板１１の下方に、その上面に吸湿部材１４を取り付けた蓋体１３が設けられ、また蓋体１３と基板１１との間に、ダイオード・マトリックス１２及び吸湿部材１４を周りから囲んで密封するように、シール手段１５が挟まれている。蓋体１３は、必要に応じて透明や非透明なものが使用される。
【０００４】
有機発光装置１は、消費電力小、薄型軽量、低コストなどの利点を有するので、ＬＣＤ（液晶表示板）の代わりに携帯電話、デジカメ、テレビなどの表示装置上に応用されている。
【特許文献１】特表２００４−５１７３６３号公報
【発明の開示】
【発明が解決しようとする課題】
【０００５】
しかしながら、有機発光装置は密封された一体構造になっていて貫通加工ができないので、表示装置内の他の部材と組み合わせる場合、結合も配置も困難であり、例えば、それを時計の表示板にすると、指針、特にその軸芯を配置あるいは固定する場合、内部構造全体が複雑になるという問題点がある。
【０００６】
上記従来技術の有する問題点に鑑みて、本発明の目的は、その密封状態が破壊されることなく、他の部材を貫通させることができる有機発光装置およびこれを備えた時計を提供することにある。
【課題を解決するための手段】
【０００７】
上記目的は請求項記載の各発明により達成される。すなわち、本発明に係る有機発光装置の特徴構成は、基板の下面にダイオード・マトリックスを設け、かつ、その下方に、上面に吸湿部材が取り付けられている蓋体を設け、この蓋体と前記基板との間に前記ダイオード・マトリックス及び前記吸湿部材を周りから囲んで密封するようにシール手段を挟持している有機発光装置において、前記シール手段内の前記ダイオード・マトリックスと吸湿部材の両者以外の部分に、中間部材が前記蓋体と基板との間に密接して挟まれていると共に、前記基板、前記中間部材および前記蓋体を上下方向に貫通している通孔が形成されていることにある。
【０００８】
ここで、時計とは、腕時計や卓上時計などを指す。
【０００９】
この構成による有機発光装置は、基板、中間部材および蓋体を上下方向に貫通している通孔を備えているので、他の部材（指針装置の軸芯など）を貫通させることができる。すなわち、この有機発光装置は、他の部材が通孔に挿入される方式で他の部材と互いに結合することができる。
【００１０】
前記ダイオード・マトリックスは、その略中央箇所に開口が設けられていて、前記吸湿部材は、前記ダイオード・マトリックスの開口以外の部分と対面していると共に、前記中間部材は、前記ダイオード・マトリックスの開口を通過していることが好ましい。
【００１１】
前記中間部材は、前記蓋体の上面から一体的に上方へ延伸する柱体と、この柱体と前記基板との間に挟まれている他のシール手段とからなると共に、前記通孔は、前記基板、前記他のシール手段、前記柱体および前記蓋体を上下方向に貫通していることが好ましい。
【００１２】
前記中間部材は、前記蓋体と基板との間に挟まれている他のシール手段であり、前記通孔は、前記基板、前記他のシール手段および前記蓋体を上下方向に貫通していることが好ましい。
【００１３】
更に、本発明に係る時計の特徴構成は、請求項１〜４のいずれか１項に記載の有機発光装置を用いると共に、軸芯が通孔を貫通して突出しており、指針が基板の上方に、この基板面と平行になるように設けられ、且つ、一端近くが前記軸芯の通孔からの突出端に軸支されている指針装置と、この指針装置および前記有機発光装置を収容しているハウジングとを更に備えていることにある。
【００１４】
この構成による有機発光装置を用いた時計は、基板、中間部材および蓋体を上下方向に貫通している通孔を備えているので、他の部材（指針装置の軸芯など）を貫通させることができる。
【発明を実施するための最良の形態】
【００１５】
以下、本発明の有機発光装置およびこれを用いた時計の好ましい実施形態を詳しく説明する。なお、以下の説明においては、そのサイズに拘わらず、略同一の機能および構成を有する構成要素については、同一符号を付し、重複説明は必要な場合にのみ行う。
【００１６】
図１は、本発明の有機発光装置およびこれを用いた時計の好ましい実施形態を示す分解斜視図であり、図２は図１の組立後の状態を説明する断面図である。
【００１７】
本発明の有機発光装置およびこれを用いた時計は、図１、図２に示すように、有機発光装置３と、指針装置４と、ハウジング２とを備えて構成されている。
【００１８】
有機発光装置３は、図２に示すように、基板３１の下面にダイオード・マトリックス３２が設けられ、かつ、その下方には、上面に吸湿部材３４が取り付けられている蓋体３３が設けられている。蓋体３３と基板３１との間には、ダイオード・マトリックス３２及び吸湿部材３４を周りから囲んで密封可能にするシール手段３５が挟持されている。
【００１９】
蓋体３３は、断面Ｕ字形のものであり、基板３１と平行している底壁３３１と、この底壁３３１の周縁から上方へ延伸する周壁３３２とからなっている。シール手段３５は、周壁３３２と基板３１との間に挟まれている。
【００２０】
シール手段３５内のダイオード・マトリックス３２と吸湿部材３４との両者以外の部分には、中間部材３６が蓋体３３の底壁３３１と基板３１との間に密接に挟まれている。また、基板３１、中間部材３６及び蓋体３３の底壁３３１を上下方向に貫通する通孔３７が、形成されている。
【００２１】
より詳しく説明すると、ダイオード・マトリックス３２は、略中央箇所に開口３２１が設けられているものであり、吸湿部材３４は、ダイオード・マトリックス３２の開口３２１以外の部分と対面しており、中間部材３６は、ダイオード・マトリックス３２の開口３２１を通過している。
【００２２】
本実施形態において前記中間部材３６は、蓋体３３の上面（底壁３３１）から一体的に上方へ延伸する柱体３６１と、この柱体３６１と基板３１との間に挟まれている他のシール手段３６２とからなる。すなわち、通孔３７は、基板３１、他のシール手段３６２、柱体３６１及び蓋体３３の底壁３３１を上下方向に貫通している。
【００２３】
基板３１は、ガラスや透明樹脂などの透明材からなり、蓋体３３は、金属やセラミックなどの非透明材からなっている。吸湿部材３４は、固体状やゲル状などの、湿気を吸収できるものからなっている。シール手段３５及び他のシール手段３６２は、ゴムやプラスチック材からなっている。
【００２４】
そして、指針装置４は、その軸芯４２が通孔３７を貫通して突出しており、その指針４３が基板３１の上方に、この基板面と平行するように設けられ、且つ、その一端近くが軸芯４２の通孔３７からの突出端に軸支されている。
【００２５】
ハウジング２は、上下２つの半体２２，２１からなり、上部半体２２の略中央には、透明なガラス片２２１が設けられている。指針装置４を設けた有機発光装置３は、上下２つの半体２２，２１の間に挟まれるようにハウジング２内に収容されている。透明なガラス片２２１は、基板３１と対応している。
【００２６】
また、ハウジング２内には、有機発光装置３の発光および指針４３の回転を制御する機構が更に設けられているが、この部分は本発明の特徴と関係がないので、詳しい説明を省略する。
【００２７】
このように構成されていることにより、照明が不足する環境下でも、有機発光装置３が付設されているので、指針４３の指示を、常時、明瞭に視認することができる。
〔別実施の形態〕
図３は、本発明の有機発光装置およびこれを用いた時計の他の実施形態を示す。この実施形態において中間部材は、蓋体３３と基板３１との間に挟まれている他のシール手段３８である。すなわち、通孔３７は、基板３１、他のシール手段３８及び蓋体３３の底壁３３１を上下方向に貫通している。
【００２８】
この実施形態において、基板３１が透明なものであって発光面とされるが、それに限らず、蓋体３３が透明なものであって発光面とされることもできる。この時、指針装置４の指針４３は蓋体３３の上方に、この蓋体面と平行するように設けられることが好ましい。
【００２９】
また、この実施形態において、中間部材３６，３８及び通孔３７がそれぞれ１つだけあるが、これに限定されるものではなく、複数の中間部材３６，３８及び複数の通孔３７を設置してもよい。
【００３０】
以上に示したように、本発明の有機発光装置及びそれを用いた時計は、蓋体と基板との間に中間部材を設け、また基板、中間部材および蓋体を貫通している通孔を備えているので、有機発光装置内の密封状態を確保した状態下で、例えば指針の軸芯など、他の部材を貫通されることができる。
【００３１】
以上説明した実施形態は、あくまでも本発明の技術的内容を明らかにする意図のものにおいてなされたものであり、本発明はそうした具体例に限定して狭義に解釈されるものではなく、本発明の精神と特許請求の範囲に述べられた範囲で、種々の形態に変更して実施できるものである。
【図面の簡単な説明】
【００３２】
【図１】本発明の有機発光装置およびこれを用いた時計の好ましい実施形態を示す分解斜視図
【図２】図１の時計を組立た後の断面図
【図３】本発明の他の実施形態を示す要部断面図
【図４】従来の有機発光装置を示す要部断面図
【符号の説明】
【００３３】
２            ハウジング
３            有機発光装置
４            指針装置
２１，２２    上下２つの半体
３１          基板
３２          ダイオード・マトリックス
３３          蓋体
３４          吸湿部材
３５          シール手段
３６          中間部材
３７          通孔
３８          他のシール手段
４２          軸芯
４３          指針
２２１        ガラス片
３２１        開口
３３１        底壁
３３２        周壁
３６１        柱体
３６２        他のシール手段
【図１】
2006059582.tif 000003
【図２】
2006059582.tif 000004
【図３】
2006059582.tif 000005
【図４】
2006059582.tif 000006